(57)【要約】  【課題】共通の取付軸に二つ以上の薄い板部材を熱カシメで取り付け、それらの間に羽根室を構成できるようにした、小型化に適したカメラ用羽根駆動装置を提供すること。  【解決手段】合成樹脂製の地板１に一体成形によって立設された取付軸１ｆは、断面積の大きな軸部１ｆ−１と、断面積の小さな軸部１ｆ−２からなっていて、軸部１ｆ−１には段差面が形成されている。薄い板部材である口径規制板２は、軸部１ｆ−１の断面形状に対応した形状の孔を有していて、その孔を軸部１ｆ−１に嵌合させた後、軸部１ｆ−１の段差面形成部位の一部を過熱し鍔状に変形させることによって取り付けられている。同様に、薄い板部材であるカバー板３は、軸部１ｆ−２の断面形状に対応した形状の孔を有していて、その孔を軸部１ｆ−２に嵌合させた後、軸部１ｆ−２の先端を加熱し鍔状に変形させて取り付けられ、口径規制板２との間に羽根室を構成している。【選択図】  図２
2007272022.tif 000002
【特許請求の範囲】
【請求項１】
羽根室側の面に一体成形によって少なくとも一つの取付軸が立設されており該取付軸は羽根室側の面から該取付軸の軸心線に対して直角方向での断面積の大きい順に少なくとも二つの軸部を有していて隣接している二つの軸部間においては断面積の小さい方の軸部の断面が断面積の大きい軸部の断面からはみ出ないようにして断面積の大きい軸部に段差面を形成した合成樹脂製の地板と、各々が前記軸部の断面形状に対応した形状の孔を有していて大きい孔を有したものから順にその孔を前記各軸部に嵌合させている少なくとも二つの板部材と、を備えており、前記各板部材は、前記地板側のものから順に、前記孔を前記軸部に嵌合させたあと該軸部の段差面形成部位の一部を熱溶解させ鍔状に変形させて取り付けられているが、前記孔を前記取付軸の最先端の軸部に嵌合させている板部材だけは、該軸部の先端を全て熱溶解させ鍔状に変形させて取り付けられていて、隣接する二つの前記板部材間に羽根室を構成していることを特徴とするカメラ用羽根駆動装置。
【請求項２】
前記板部材のうち、前記地板の羽根室側の面の一番近くに取り付けられる板部材が、前記取付軸に形成されている軸部のうち、前記地板の羽根室側の面から二番目の軸部に取り付けられていて、該板部材と前記地板との間にも羽根室を構成していることを特徴とする請求項１に記載のカメラ用羽根駆動装置。
【請求項３】
前記取付軸が、合成樹脂製の固定子枠に立設されていて、前記地板には、前記取付軸の一番大きな断面積を有する軸部の断面形状に対応した孔が形成されており、前記固定子枠は、前記一番大きな断面積を有する軸部を前記地板の孔に嵌合させ、該軸部の段差面形成部位の一部を熱溶解させ鍔状に変形させて前記地板を取り付け、前記地板との間にアクチュエータ室を構成していることを特徴とする請求項１又は２に記載のカメラ用羽根駆動装置。
【発明の詳細な説明】
【技術分野】
【０００１】
本発明は、シャッタ羽根，絞り羽根，フィルタ羽根などの羽根部材を、羽根室内において往復作動させるようにしたカメラ用羽根駆動装置に関する。
【背景技術】
【０００２】
カメラ用の羽根駆動装置としては、シャッタ装置，絞り装置，フィルタ装置，レンズバリア装置があり、それらのうち、シャッタ装置，絞り装置，フィルタ装置については、単独でユニット化する場合もあるが、二つ以上を一つのユニットとして構成する場合もある。そして、それらの四つの装置を単独でユニット化する場合には、通常、合成樹脂製の比較的厚い部材である地板と、その地板に取り付けられた比較的薄い板部材であるカバー板（補助地板などともいう）との間に、羽根室を構成している。また、二つの装置をユニット化する場合には、二つの装置の羽根を上記のように構成された一つの羽根室に配置することも知られているが、通常は、地板とカバー板との間に比較的薄い板部材である中間板を取り付け、二つの羽根室を構成するようにしているのが普通である。従って、三つの装置をユニット化する場合には、中間板をもう１枚取り付け、羽根室を三つ構成することもあり得る。
【０００３】
ところが、上記のように羽根室を一つ構成する場合であっても、地板とカバー板の間に羽根室を構成せず、地板に隣接して薄い板部材を取り付け、その板部材とカバー板との間に羽根室を構成する場合がある。そして、そのように構成した例が、下記の特許文献１に記載されているが、このように、地板を羽根室を構成する部材としないのには、主に二つの理由がある。その一つは、特許文献１にも記載されているように、地板の羽根室側に他の部材を配置する必要がある場合である。もう一つの理由は、レンズを羽根の作動面に近づけて配置するために、地板に形成されている撮影光路用の開口部を必要以上に大きくしたいとき、そのようにすると、羽根が安定した作動を行えないため、地板の羽根室側に薄い板部材を配置する場合である。従って、それらのように構成した場合には、地板を羽根室の構成部材にした場合よりも、薄い板部材が１枚増えることになる。そして、そのようなカバー板との間に羽根室を構成している薄い板部材に、地板やカバー板などよりも直径の小さな撮影光路用の開口部を形成した場合には、その板部材を口径規制板ということがある。
【０００４】
他方、上記のような最近の羽根駆動装置の場合には、電磁アクチュエータによって羽根を駆動するのが普通になっている。そして、その電磁アクチュエータは、特許文献１にも記載されているように、通常は、地板と、地板に取り付けられた固定子枠（モータ枠，カバー枠などともいう）との間に構成したアクチュエータ室に配置されている。そして、これまでは、上記のように、羽根室を構成する複数の薄い板部材を地板に取り付ける場合でも、固定子枠を地板に取り付ける場合でも、特許文献１に記載されているように、複数のねじによって取り付けるのが普通であった。しかしながら、ねじ部品はコスト面で不利であるし、また、最近では、上記のような各装置は、各種情報機器端末などにも組み込めるように非常に小型化されてきているので、ねじ止め作業も容易ではなくなってきた。
【０００５】
そのため、最近では、地板が合成樹脂製であることに着目し、地板に、一体成形によって取付軸を立設しておき、その取付軸をカバー板に設けた孔に貫通させ、羽根室外に突き出た先端を熱溶解して上記の孔よりも大きな鍔状に変形させることによって、カバー板を取り付けるようにすることが知られている。この取付技術は、一般に熱カシメといわれているので、以下においても、そのようにいうことにするが、この熱カシメを用いた場合には、少なくとも、ねじ部品を必要としないので、それだけ低コストで済み、取付作業も簡単になる。そこで、この熱カシメを用い、上記のように、単に、地板にカバー板を取り付けるのではなく、合成樹脂製の固定子枠に、地板を取り付けたり、カバー板を取付けるようにしたカメラ用羽根駆動装置が下記の特許文献２に記載されている。本発明は、このような熱カシメ技術を用いて、羽根室の構成部材を取り付けたり、羽根室とアクチュエータ室の構成部材を取り付けたりした、カメラ用羽根駆動装置に関するものである。
【０００６】
【特許文献１】特開２００５−９１５４９号公報
【特許文献２】特開２００５−２４１８６６号公報
【発明の開示】
【発明が解決しようとする課題】
【０００７】
ところで、上記したように、カバー板を含む二つ以上の薄い板部材を、それらの相対位置が変わらないようにして地板に取り付け、少なくとも一つの羽根室を構成しようとすると、特許文献１にも記載されているように、少なくとも、薄い板部材間に、スペーサーとなる部材（特許文献１においては、間座６，７）を用意することが必要になってコスト高になってしまうため、熱カシメによって取り付ける場合には、地板に対して、各板部材ごとに長さの異なる取付軸を立設しておき、それらの専用の取付軸に対して順に板部材を取り付けていくようにしていた。
【０００８】
ところが、最近のカメラ用羽根駆動装置は、極めて小型の単体カメラや、携帯電話等の情報端末機器用カメラにも採用できるようにする必要があるため、薄型化はもとより、平面形状の小型化が要求されているが、上記のように、それぞれ専用の取付軸を立設していると、取付軸の数が多いことから、地板の平面形状を小さくすることができなかったり所望の形状にしにくいという問題点がでてきた。そして、このことは、特許文献２に記載のように、合成樹脂製の固定子枠に立設した専用の取付軸に、熱カシメにより、地板と少なくとも一つの板部材（一つの場合は、カバー板）を取り付けて、アクチュエータ室と、少なくとも一つの羽根室を構成する場合にも同じことがいえる。
【０００９】
本発明は、このような問題点を解決するためになされたものであり、その目的とするところは、合成樹脂製の地板に、カバー板を含む二つ以上の薄い板部材を、それらの薄い板部材間の相対間隔が変わらないようにしてしっかりと取り付け、少なくとも一つの羽根室を構成する場合に、それらの薄い板部材を、地板に一体成形で立設されている共通の取付軸に対して、熱カシメによって個々に確実に固定することを可能にした、小型化に適したカメラ用羽根駆動装置を提供することである。また、その取付軸を合成樹脂製の固定子枠に立設して、その取付軸に地板も取り付けるようにし、地板の固定子枠の間にアクチュエータ室を構成するようにした、小型化に適したカメラ用羽根駆動装置を提供することである。
【課題を解決するための手段】
【００１０】
上記の目的を達成するために、本発明のカメラ用羽根駆動装置は、羽根室側の面に一体成形によって少なくとも一つの取付軸が立設されており該取付軸は羽根室側の面から該取付軸の軸心線に対して直角方向での断面積の大きい順に少なくとも二つの軸部を有していて隣接している二つの軸部間においては断面積の小さい方の軸部の断面が断面積の大きい軸部の断面からはみ出ないようにして断面積の大きい軸部に段差面を形成した合成樹脂製の地板と、各々が前記軸部の断面形状に対応した形状の孔を有していて大きい孔を有したものから順にその孔を前記各軸部に嵌合させている少なくとも二つの板部材と、を備えており、前記各板部材は、前記地板側のものから順に、前記孔を前記軸部に嵌合させたあと該軸部の段差面形成部位の一部を熱溶解させ鍔状に変形させて取り付けられているが、前記孔を前記取付軸の最先端の軸部に嵌合させている板部材だけは、該軸部の先端を全て熱溶解させ鍔状に変形させて取り付けられていて、隣接する二つの前記板部材間に羽根室を構成しているようにする。
【００１１】
その場合、前記板部材のうち、前記地板の羽根室側の面の一番近くに取り付けられる板部材が、前記取付軸に形成されている軸部のうち、前記地板の羽根室側の面から二番目の軸部に取り付けられていて、該板部材と前記地板との間にも羽根室を構成しているようにしてもよい。また、前記取付軸が、合成樹脂製の固定子枠に立設されていて、前記地板には、前記取付軸の一番大きな断面積を有する軸部の断面形状に対応した孔が形成されており、前記固定子枠は、前記一番大きな断面積を有する軸部を前記地板の孔に嵌合させ、該軸部の段差面形成部位の一部を熱溶解させ鍔状に変形させて前記地板を取り付け、前記地板との間にアクチュエータ室を構成しているようにしてもよい。
【発明の効果】
【００１２】
本発明は、一体成形によって合成樹脂製の地板に立設された共通の取付軸に対し、羽根室を構成するのに必要な複数の板部材を、熱カシメによって、所定の間隔を空けて順に取り付け、一つ又は複数の羽根室を好適に構成することを可能にしたものであるため、従来よりも取付軸の数が減少し、装置の小型化が可能になる。また、そのような取付軸を、合成樹脂製の固定子枠に立設し、地板に形成した孔に嵌合させることによって、板部材のほかに地板をも取り付けるようにすれば、羽根を駆動するためのアクチュエータ室も好適に構成することが可能になる。
【発明を実施するための最良の形態】
【００１３】
本発明の実施の形態を、図示した二つの実施例によって説明する。本発明のカメラ用羽根駆動装置は、シャッタ装置，絞り装置，フィルタ装置，レンズバリア装置のいずれにも適用することができるものである。また、シャッタ装置，絞り装置，フィルタ装置のうちの二つ以上を一つのユニットとして構成した装置にも適用することができるものである。更に、それらの装置は、銀塩フィルムを使用するカメラに採用することもできるし、各種情報端末機器用カメラやビデオカメラを含むデジタルカメラにも採用することのできるものである。しかしながら、それらの全ての場合について具体例を挙げて説明するまでもないので、実施例１としては、シャッタ装置を単独でユニット化したものについて詳細に説明することにし、実施例２としては、二つの装置を一つのユニットとするために、羽根室を二つ構成する場合の要部の構成を説明する。そして、図１〜図４は実施例１を説明するためのものであり、図５〜図１１は実施例２を説明するためのものである。
【実施例１】
【００１４】
本実施例は、シャッタ羽根を１枚備えたシャッタ装置として構成したものである。そして、この構成のシャッタ装置は、銀塩フィルムカメラにも採用することが可能であるが、特にデジタルカメラに採用し易いように、小型で薄型に構成したものであるため、本実施例の説明に際しては、デジタルカメラに採用された場合を前提にして説明することにする。尚、図１は、シャッタ羽根を全開状態としている撮影待機状態を示した平面図であり、図２は、要部断面図であり、図３は、分解斜視図である。
【００１５】
先ず、構成を説明する。本実施例の地板１は、合成樹脂製であって比較的厚く形成されており、図２及び図３において、上方の面を羽根室側の面とし、下方の面をアクチュエータ室側の面としている。そして、地板１の略中央部には円形をした撮影光路用の開口部１ａを形成し、その側方位置には円弧状の長孔１ｂを形成している。また、地板１の羽根室側の面には、五つの取付軸１ｃ，１ｄ，１ｅ，１ｆ，１ｇと、二つのストッパ軸１ｈ，１ｉと、一つの羽根軸１ｊが一体成形で立設されており、アクチュエータ室側の面には、二つの取付軸１ｋ，１ｍと、一つの回転軸１ｎとが一体成形で立設されている。尚、図３においては、取付軸１ｋ，１ｍと回転軸１ｎを分かり易くするために、図２に示されているように、実際には厚い地板１を薄くして示してある。また、図２においては、要部の断面形状を一つの図面で理解できるようにするために、やむを得ず、取付軸１ｇ，１ｆの位置を、図１及び図３に鑑みて、適当ではないところに示してある。
【００１６】
それらのうち、取付軸１ｃ，１ｄ，１ｅは、直径の異なる二つの部位からなっているが、大きい直径の部位は、地板１の羽根室側の面と後述するカバー板３の羽根室側の面との間隔を規制するための台座部である。また、取付軸１ｆは、地板１側に形成された断面形状（軸心線に対して直角に切断した断面形状）が長円形をしている軸部１ｆ−１と、先端側に形成されていて断面形状が円形をした軸部１ｆ−２とからなっている。そして、断面積の小さい方の軸部１ｆ−２は、その軸部の断面が、断面積の大きい方の軸部１ｆ−１の断面から、はみ出さないようにして形成されていて、軸部１ｆ−１に段差面が形成されるようにしている。また、取付軸１ｋ，１ｍは、断面形状が円形をしており、回転軸１ｎは、後述の回転子５を回転可能に取り付けるものであるから、当然のことながら、断面形状は円形をしている。
【００１７】
地板１には、羽根室側の面に隣接して口径規制板２が取り付けられている。そして、この口径規制板２を取り付けるようにした理由は、次の通りである。本実施例のシャッタ装置をカメラに組み込んだときには、図２及び図３において、地板１の下側に配置される撮影レンズを、後述するシャッタ羽根４の作動面に出来るだけ近接させて配置できるようにしたい。そのためには、比較的厚い部材である地板１に形成されている開口部１ａを必要以上に大きくし、撮影レンズの一部が開口部１ａ内に入るようにする必要がある。ところが、そのように開口部１ａを大きくしてしまうと、羽根室内でのシャッタ羽根４の作動が不安定になり、かえって撮影レンズを近接させることができなくなる。そのため、本実施例の場合には、図３から分かるように、極めて薄い板部材である口径規制板２を取り付け、この口径規制板２と後述のカバー板３との間に羽根室を構成するようにしている。しかしながら、例えば、特許文献１に記載されているような構成にするために、このように薄い板部材を取り付けることもあることは、既に説明したとおりである。
【００１８】
この口径規制板２には、略中央部に上記の開口部１ａよりも直径が小さくて露光開口を規制している撮影光路用の開口部２ａが形成されていて、その側方位置には円弧状の長孔２ｂが形成されているほか、円形をした三つの孔２ｃ，２ｄ，２ｅと、二つの切欠き部２ｆ，２ｇが形成されている。そのうち、開口部２ａについては後述するが、長孔２ｂは、上記の長孔１ｂと重なる位置に同じ形状に形成されており、孔２ｃ，２ｄ，２ｅには、上記のストッパ軸１ｉ，取付軸１ｇ，羽根軸１ｊが嵌合している。また、切欠き部２ｆは、その縁を上記の取付軸１ｆの軸部１ｆ−１に形成された段差面の一部に載置し、切欠き部２ｇは、上記のストッパ軸１ｈを逃げるように形成されている。そして、この口径規制板２は、地板１に２箇所で取り付けられている。図１及び図２に示されているように、そのうちの１箇所では、孔２ｄを貫通した取付軸１ｇの先端を、熱カシメによって円形の鍔状に変形させて取り付けられ、もう１箇所では、軸部１ｆ−１の段差面形成部位の一部を、熱カシメによって半円形の鍔状に変形させて取り付けられている。尚、図２においては、孔２ｄ，２ｅと切欠き部２ｆの符号を省略してある。
【００１９】
地板１には、口径規制板２との間に所定の間隔を空けて、薄い板部材であるカバー板３が取り付けられていて、口径規制板２との間に羽根室を構成している。図３から分かるように、カバー板３は、略中央部に円形をした撮影光路用の開口部３ａを形成し、その側方位置には円弧状の長孔３ｂを形成しているほか、円形をした七つの孔３ｃ，３ｄ，３ｅ，３ｆ，３ｇ，３ｈ，３ｉを形成している。そのうち、開口部３ａは、地板１と口径規制板２の開口部１ａ，２ａに重なるように形成されており、その直径は、開口部１ａより小さいが、開口部２ａよりは大きい。そのため、本実施例の場合には、露光開口が口径規制板２の開口部２ａによって規制されることになるので、符号２を付けた薄い板部材を口径規制板と称している。しかしながら、本実施例においては、カバー板３の開口部３ａの直径を一番小さくし、開口部３ａによって露光開口を規制するようにしても構わない。特許文献１に記載されている構成では、そのように、カバー板に形成されている開口部で露光開口を規制するようにしている。従って、そのように構成した場合には、本実施例の口径規制板２に相当する薄い板部材は、口径規制板ということができなくなる。
【００２０】
また、このカバー板３の長孔３ｂは、上記の長孔１ｂ，２ｂと重なる位置に略同じ形状に形成されており、孔３ｃ，３ｄ，３ｅには、上記の取付軸１ｃ，１ｄ，１ｅが嵌合し、孔３ｆには、上記の取付軸１ｆの軸部１ｆ−２が嵌合し、孔３ｇ，３ｈには、上記のストッパ軸１ｉ，１ｈが嵌合し、孔３ｉには、上記の羽根軸１ｊが嵌合している。そして、このカバー板３は、孔３ｃ，３ｄ，３ｅ，３ｆを貫通した取付軸１ｃ，１ｄ，１ｅ，１ｆの先端を、熱カシメによって円形の鍔状に変形させることによって取り付けられている。尚、図２においては、取付軸１ｃの嵌合している孔３ｃと、取付軸１ｆの軸部１ｆ−２が嵌合している孔３ｆに符号を付けていない。
【００２１】
上記のようにして、口径規制板２とカバー板３の間に構成された羽根室には、１枚のシャッタ羽根４が配置されている。そして、このシャッタ羽根４には、円形の孔４ａと長孔４ｂが形成されていて、孔４ａを上記の羽根軸１ｊに嵌合させている。尚、図２においては、それらの孔４ａと長孔４ｂに符号を付けていない。また、本実施例の場合には、羽根室内に、このように１枚のシャッタ羽根４を配置しているだけであるが、本発明は、複数枚のシャッタ羽根を配置し、それらを同時に同じ方向へ異なる速度で往復回転させるようにしても構わない。また、周知のように、シャッタ羽根を２枚配置し、それらを同時に相反する方向へ回転させるようにしても構わない。その場合、少なくとも一方のシャッタ羽根を複数枚のシャッタ羽根とし、それらの複数枚のシャッタ羽根を、同時に同じ方向へ異なる速度で回転させるようにしても構わない。
【００２２】
ここで、取付軸１ｆに対する口径規制板２とカバー板３の取付構成について説明を加えておく。上記したように、本実施例では、口径規制板２は、取付軸１ｇと、取付軸１ｆの軸部１ｆ−１に取り付けられている。そこで、口径規制板２を取付軸１ｆの軸部１ｆ−１に取り付けるのではなく、取付軸１ｇの場合と同様に、専用の取付軸を、取付軸１ｆの近傍位置に立設する場合を想定してみる。その場合には、当然のことながら、取付軸１ｆの断面形状は、全て軸部１ｆ−２の断面形状をしていることになる。
【００２３】
ところで、そのように専用の取付軸に口径規制板２を熱カシメする場合には、その取付軸の先端は、取付軸１ｇの先端と同じ大きさ（図１及び図４参照）の鍔状部に変形されることになる。そのため、熱カシメをするとき、そのような形状に変形させる加熱器具が取付軸１ｆに接しないようにしなければならないので、少なくとも、形成される鍔状部が取付軸１ｆに接することのない位置であって作業のし易い位置に、その専用の取付軸を立設する必要がある。しかも、鍔状部は羽根室内に形成されるので、その鍔状部がシャッタ羽根４の作動に影響しないようになる位置に専用の取付軸を立設する必要がある。それらを考えた上で図４を見れば分かるように、取付軸１ｆの近傍位置には、口径規制板２の専用取付軸を立設する余地は全くない。言い換えれば、本実施例は、上記のような二つの軸部１ｆ−１，１ｆ−２からなる取付軸１ｆを立設することによって、地板１の好適な形状と、装置の小型化，コンパクト化が得られていることになる。
【００２４】
上記のように、地板１のアクチュエータ室側の面には、回転軸１ｎが立設されているが、その回転軸１ｎには、回転子５が回転可能に取り付けられている。この回転子５は、径方向に２極に着磁された円筒状の永久磁石５ａを有していて、その永久磁石５ａと一体成形されていて、径方向へ張り出した合成樹脂製のアーム５ｂの先端には、出力ピン５ｃが設けられている。そして、その出力ピン５ｃは、地板１と口径規制板２の長孔１ｂ，２ｂから羽根室内に挿入され、シャッタ羽根４の長孔４ｂに嵌合し、その先端を、カバー板３の長孔３ｂから羽根室外へ突き出している。尚、図１及び図４においては、永久磁石５ａの磁極の境界を、便宜的に軸１ｎを通る１本の一点鎖線で示してある。また、本実施例の回転子５は、このような構成をしているが、アーム５ｂと出力ピン５ｃも含めて永久磁石製とすることも知られている。
【００２５】
また、地板１のアクチュエータ室側の面に立設されている上記の取付軸１ｋ，１ｍには、合成樹脂製の固定子枠６が取り付けられている。図３に分かり易く示されているように、この固定子枠６には、長さ方向の略中央部に中空のボビン部６ａが形成されていて、その外側にコイル７を巻回している。また、ボビン部６ａの両側には二つの孔６ｂ，６ｃが形成されている。そして、ボビン部６ａと孔６ｃの間には、上記の回転子５の永久磁石５ａの一部を受け入れる窪みが形成されており、その窪みの中央部には上記の回転軸１ｎの先端を受け入れるための貫通していない穴が形成されている。また、Ｕ字形をしていて二つの脚部を有しているヨーク８は、その一方の脚部をボビン部６ａの中空部に挿入し、二つの脚部の先端を磁極部として、図１及び図４に示されているように、永久磁石５ａの周面に対向させている。
【００２６】
このようにして、ボビン部６ａの外側にコイル７を巻回し、ボビン部６ａの中空部にヨーク８の一方の脚部を挿入させた固定子枠６は、その孔６ｂ，６ｃを上記の取付軸１ｋ，１ｍに嵌合させた後、それらの取付軸１ｋ，１ｍの先端を、熱カシメによって円形の鍔状に変形させることによって取り付けられている。そして、このような構成をしたアクチュエータは、回転子５が、コイル７に対する通電方向に対応した方向へ、所定の角度範囲内でだけ回転するようになっている。尚、本実施例の場合には、固定子枠６にボビン部６ａが一体成形で形成されているが、この種のアクチュエータには、それらを別部材として構成したものも知られているし、回転子も含めてその他の構成をしたものも知られている。そのため、本発明は、それらのアクチュエータの構成によって限定されるものではない。
【００２７】
次に、図１及び図４を用いて、本実施例の作動を説明する。図１は、撮影待機状態を示したものであって、シャッタ羽根４は、露光開口を規制している開口部２ａを全開にしている。そのため、図示していない固体撮像素子には被写体光が当たっており、撮影者は、モニターによって被写体像を観察することが可能になっている。また、このとき、アクチュエータのコイル７には通電されていない。しかしながら、周知のように、このとき、回転子５は、その永久磁石５ａの磁極とヨーク８の二つの磁極部との対向配置関係による磁力で、反時計方向へ回転され、出力ピン５ｃによって、シャッタ羽根４を時計方向へ回転させるように付勢されているので、シャッタ羽根４がストッパ軸１ｈに押し付けられ、この状態が確実に維持されている。
【００２８】
撮影に際してレリーズボタンが押されると、固体撮像素子に蓄積されていた電荷が放出されることによって撮影が開始され、新たな電荷が固体撮像素子に蓄積されていく。そして、所定の時間が経過すると、露光時間制御回路からの信号によって、コイル７に順方向の電流が供給される。それによって、回転子５は、時計方向へ回転させられるので、シャッタ羽根４は、出力ピン５ｃによって反時計方向へ回転させられ、開口部２ａを閉鎖する。このとき、シャッタ羽根は、ストッパ軸１ｉに当接して停止することになるが、口径規制板２がないと、ストッパ軸１ｉに当接したとき、シャッタ羽根４に撓みが生じて、開口部１ａ内に進入して配置されている撮影レンズに接触してしまうことがあるが、本実施例の場合には、口径規制板２が設けられているので、そのようなことは生じない。図４は、このようにして、シャッタ羽根４の停止した状態を示したものである。
【００２９】
図４に示した状態になると、固体撮像素子に蓄積された電荷が、撮像情報として記憶装置に転送される。そして、その転送が終わると、コイル７に対して上記とは異なり逆方向の電流が供給される。それによって、回転子５は反時計方向へ回転させられ、シャッタ羽根４は、出力ピン５ｃによって時計方向へ回転させられる。このとき、口径規制板２がない場合には、シャッタ羽根４が僅かでも傾いたり撓んだりすると、その長さ方向の中間部位が開口部１ａの縁に当たってしまうことがあるが、本実施例の場合には、口径規制板２が設けられているので、そのようなことは生じない。そして、シャッタ羽根４は、開口部２ａを全開にすると、ストッパ軸１ｈに当接して停止する。その後、コイル７への通電を断つと、図１の状態に復帰したことになる。
【００３０】
尚、本実施例は、シャッタ装置として説明したが、このままの構成で、レンズバリア装置とすることもできる。また、シャッタ羽根の代わりに、フィルタ板のみで製作されたフィルタ羽根を備えた場合には、フィルタ装置になる。また、本実施例のシャッタ羽根に、開口部２ａよりも小さい開口部を形成して絞り羽根とすれば、絞り装置にもなる。更に、本実施例のシャッタ羽根に、適当な大きさの開口部を形成し、その開口部を覆うようにしてフィルタ板を取り付ければ、フィルタ装置になる。そして、これらの装置は、全て本発明のカメラ用羽根駆動装置である。
【００３１】
また、本実施例の取付軸１ｇは、口径規制板２の専用の取付軸であるが、この取付軸１ｇを、取付軸１ｆと同様な二つの軸部で構成し、カバー板３も取り付けるようにすれば、地板１に取付軸１ｄを立設しなくて済むようになり、地板１を、さらに小さくすることが可能になる。従って、本発明は、地板１に対して、取付軸１ｆと同様な取付軸を複数立設しても構わない。更に、本実施例は、取付軸１ｆの軸部１ｆ−１と軸部１ｆ−２の２箇所を熱カシメ部として一つの羽根室を構成しているが、このように一つの軸に二つの熱カシメ部を設けることによって、二つの羽根室を構成するようにすることが可能な場合もある。即ち、本実施例の場合には、上記した理由によって、開口部１ａを大きくしたいために、口径規制板２を、地板１の羽根室側の面に密接させて熱カシメで取り付けているが、開口部１ａが、開口部２ａ，３ａのように小さくてよいのであれば、取付軸１ｃ，１ｄ，１ｅに設けた台座部に相当するような所定の形状をした台座部を取付軸１ｇ，１ｆの立設部位に設け、口径規制板２をその台座部に載せ熱カシメで取り付けるようにすれば、地板１と口径規制板２との間にも、もう一つの羽根室を構成することが可能になる。本発明は、そのように構成してもよいし、そのように構成した場合には、例えば、シャッタ装置と絞り装置とを、一つの装置としてユニット化することが可能になるし、例えば開口部の大きさの異なる２枚の絞り羽根を、別々の羽根室に配置するようにすることも可能になる。
【００３２】
更に、本実施例の場合には、取付軸１ｆを地板１に立設しているが、本発明は、このような取付軸１ｆを固定子枠６に立設すると共に、地板１には軸部１ｆ−１に対応する孔を形成しておき、その固定子枠６に立設された取付軸１ｆの軸部１ｆ−１を、地板１に形成された孔と口径規制板２に形成された切欠き部２ｆとの両方に嵌合させ、地板１と口径規制板２とを重ねた状態のまま、軸部１ｆ−１の段差面形成部位の一部を溶解させ、固定子枠６と一体化させるようにしてもよい。このように構成した場合にも、本実施例と同様に、取付軸１ｆの軸部１ｆ−１と軸部１ｆ−２の２箇所を熱カシメ部とすることによって、一つの羽根室を構成したことになる。更に、本実施例とこれらの各変形例において、取付軸１ｆなどに設けられている熱カシメ部の数や板部材の数を増やせば、構成される羽根室の数を増やすことができることは言うまでもない。
【実施例２】
【００３３】
次に、図５〜図１１を用いて、実施例２を説明する。実施例１の説明からも分かるように、本発明のポイントは、共通の取付軸に対して複数枚の薄い板部材を熱カシメで取り付け、少なくともそれらの薄い板部材の間に羽根室を構成できるようにしたものである。そして、実施例１の場合には、口径規制板２とカバー板３という薄い二つの板部材を取り付ける場合を説明した。それに対して、本実施例は、地板１１に、薄い三つの板部材である口径規制板１２，中間板１３，カバー板１４を順に取り付け、それらの薄い三つの板部材の間に二つの羽根室を構成するようにしたものである。そのため、本実施例は、例えば、シャッタ装置と絞り装置とを、一つの装置としてユニット化することが可能であるし、開口部の大きさの異なる２枚の絞り羽根を、別々の羽根室に配置するようにすることなども可能にしたものである。そこで、本実施例の説明に当たっては、実施例１における取付軸１ｆの立設位置に相当する位置の構成だけを詳しく説明し、その他の構成説明は省略することにする。
【００３４】
図５は、本実施例における合成樹脂製の地板１１の一部を示したものであり、この地板１１には、取付軸１１ａが一体成形によって立設されている。そして、この取付軸１１ａは、地板１１側から断面積の大きい順に形成された、断面形状が長円形をした軸部１１ａ−１と、断面形状が長円形をした軸部１１ａ−２と、断面形状が円形をした軸部１１ａ−３とからなっている。そして、隣接する軸部間では、断面積の小さい方の軸部の断面が、断面積の大きい方の軸部の断面から、はみ出さないようにして形成されていて、断面積の大きい方の軸部に段差面が形成されている。
【００３５】
そこで、先ず、口径規制板１２の取付構成を説明する。口径規制板１２には、上記の取付軸１１ａの軸部１１ａ−１に対応した形状の孔１２ａが形成されていて、その孔１２ａを軸部１１ａ−１に嵌合させた状態が図６に示されている。この状態では、地板１１と口径規制板１２は密接しており、軸部１１ａ−１の殆どは、孔１２ａから突き出ている。ここで、軸部１１ａ−１の段差面形成部位の一部に図６の上方から加熱器具を当て、鍔状に変形させることによって、口径規制板１２を取り付ける。そのようにして、口径規制板１２を取り付けた状態が図７に示されている。
【００３６】
次に、中間板１３の取付構成を説明する。中間板１３には、取付軸１１ａの軸部１１ａ−２に対応した形状の孔１３ａが形成されていて、その孔１３ａを軸部１１ａ−２に嵌合させた状態が図８に示されている。そのため、この状態では、口径規制板１２と中間板１３との間は所定の間隔に保たれており、また、軸部１１ａ−２の殆どは、孔１３ａから突き出ている。このような状態にしておいて、軸部１１ａ−２の段差面形成部位の一部に図８の上方から加熱器具を当て、鍔状に変形させて、中間板１３を取り付けた状態が図９に示されている。それによって、口径規制板１２と中間板１３との間に一つの羽根室が構成されたことになる。
【００３７】
最後に、カバー板１４の取付構成を説明する。カバー板１４には、取付軸１１ａの軸部１１ａ−３に対応した形状の孔１４ａが形成されていて、その孔１４ａを軸部１１ａ−３に嵌合させた状態が図１０に示されている。そのため、この状態では、中間板１３とカバー板１４との間は所定の間隔に保たれており、また、軸部１１ａ−３の殆どは、孔１４ａから突き出ている。このような状態にしておいて、軸部１１ａ−３の先端に図１０の上方から加熱器具を当て、鍔状に変形させて、カバー板１４を取り付けた状態が図１１に示されている。それによって、中間板１３とカバー板１４との間に二つ目の羽根室が構成されたことになる。
【００３８】
尚、本実施例の場合には、地板１１に立設された取付軸１１ａの３箇所を熱カシメ部とし、口径規制板１２，中間板１３，カバー板１４を取り付けることによって二つの羽根室を構成している。しかしながら、このように、取付軸１１ａの３箇所を熱カシメ部とした場合であっても、実施例１の変形例の一つとして説明したように、実施例１の取付軸１ｃ，１ｄ，１ｅに設けた台座部に相当する所定の形状の台座部を取付軸１１ａの立設部位に設け、口径規制板１２をその台座部に載せ熱カシメで取り付けるようにすれば、地板１１と口径規制板１２との間にも、もう一つの羽根室を構成することが可能になる。
【００３９】
また、本実施例の場合にも、取付軸１１ａを地板１１に立設しているが、本発明は、このような取付軸１１ａを実施例１で説明した固定子枠６に立設すると共に、地板１１には軸部１１ａ−１に対応する孔を形成しておき、その固定子枠６に立設された取付軸１１ａの軸部１１ａ−１を、地板１１に形成された孔と口径規制板１２に形成された孔１２ａとの両方に嵌合させ、地板１１と口径規制板１２とを重ねた状態のまま、軸部１１ａ−１の段差面形成部位の一部を溶解させ、口径規制板１２を熱カシメするようにしてもよい。そして、このように構成した場合にも、本実施例と同様に、取付軸１１ａの軸部１１ａ−１，１１ａ−２，１１ａ−３の３箇所を熱カシメ部とすることによって、二つの羽根室を構成したことになる。更に、本実施例とこれらの各変形例において、取付軸１１ａに設けられている熱カシメ部の数や板部材の数を増やせば、構成される羽根室の数を増やすことができることは言うまでもない。
【図面の簡単な説明】
【００４０】
【図１】シャッタ装置として構成した実施例１の平面図であり、シャッタ羽根を全開状態とした撮影待機状態を示したものである。
【図２】実施例１の要部断面図である。
【図３】実施例１の分解斜視図である。
【図４】実施例１の平面図であって、シャッタ羽根を閉じ状態とした撮影終了直後の状態を示したものである。
【図５】実施例２の構成の一部を示した斜視図であって、取付軸を立設した地板の一部のみを示したものである。
【図６】図５と同様にして示した実施例２の斜視図であって、取付軸に形成された断面積の一番大きな軸部に口径規制板の孔を嵌合させた状態を示したものである。
【図７】図６と同様にして示した実施例２の斜視図であって、口径規制板を取付軸の一番大きな軸部に熱カシメで取り付けた状態を示したものである。
【図８】図７と同様にして示した実施例２の斜視図であって、取付軸に形成された断面積の二番目に大きな軸部に中間板の孔を嵌合させた状態を示したものである。
【図９】図８と同様にして示した実施例２の斜視図であって、中間板を取付軸の二番目に大きな軸部に熱カシメで取り付けた状態を示したものである。
【図１０】図９と同様にして示した実施例２の斜視図であって、取付軸に形成された断面積の一番小さな軸部にカバー板の孔を嵌合させた状態を示したものである。
【図１１】図１０と同様にして示した実施例２の斜視図であって、カバー板を取付軸の一番小さな軸部に熱カシメで取り付けた状態を示したものである。
【符号の説明】
【００４１】
１，１１                      地板
１ａ，２ａ，３ａ              開口部
１ｂ，２ｂ，３ｂ，４ｂ        長孔
１ｃ〜１ｇ，１ｋ，１ｍ，１１ａ  取付軸
１ｆ−１，１ｆ−２，１１ａ−１〜１１ａ−３  軸部
１ｈ，１ｉ                    ストッパ軸
１ｊ                          羽根軸
１ｎ                          回転軸
２，１２                      口径規制板
２ｃ〜２ｅ，３ｃ〜３ｉ，４ａ，６ｂ，６ｃ，１２ａ，１３ａ，１４ａ  孔
２ｆ，２ｇ                    切欠き部
３，１４                      カバー板
４                            シャッタ羽根
５                            回転子
５ａ                          永久磁石
５ｂ                          アーム
５ｃ                          出力ピン
６                            固定子枠
６ａ                          ボビン部
７                            コイル
８                            ヨーク
１３                          中間板
【図１】
2007272022.tif 000003
【図２】
2007272022.tif 000004
【図３】
2007272022.tif 000005
【図４】
2007272022.tif 000006
【図５】
2007272022.tif 000007
【図６】
2007272022.tif 000008
【図７】
2007272022.tif 000009
【図８】
2007272022.tif 000010
【図９】
2007272022.tif 000011
【図１０】
2007272022.tif 000012
【図１１】
2007272022.tif 000013